(57)【要約】【課題】プリズムシートで正面に集光した輝度を下げる量が少なく、高輝度であり輝度むらやモアレがない光線制御ユニットを提供すること。【解決手段】本発明の光線制御ユニットは、少なくとも一つの光源１１と、前記光源１１の上方に配設され、出光面にアレイ状のプリズム配列構造を有する光学シート１４と、前記光学シート１４の上方に配設され、不均一な非平面スペックルによって特徴づけられた微細な３次元構造１５ａを有する拡散シート１５と、を具備することを特徴とする。【選択図】図１
2009157074.tif 000002
【特許請求の範囲】
【請求項１】
少なくとも一つの光源と、前記光源の上方に配設され、出光面にアレイ状のプリズム配列構造を有する光学シートと、前記光学シートの上方に配設され、不均一な非平面スペックルによって特徴づけられた微細な３次元構造を有する拡散シートと、を具備することを特徴とする光線制御ユニット。
【請求項２】
前記光学シートのプリズム配列構造の稜線延在方向と直交する方向における、前記拡散シートから出光される拡散光の拡散角度が、０．１°以上３０°以下であることを特徴とする請求項１に記載の光線制御ユニット。
【請求項３】
前記光学シートのプリズム配列構造の稜線延在方向と平行な方向における、前記拡散シートから出光される拡散光の拡散角度が、０．１°以上１００°以下であることを特徴とする請求項１又は請求項２に記載の光線制御ユニット。
【請求項４】
前記微細な３次元構造が、複数の凹凸構造で構成されており、前記凹凸形状の高さ及びピッチが不規則であることを特徴とする請求項１から請求項３のいずれかに記載の光線制御ユニット。
【請求項５】
前記光源と前記拡散シートとの間に、出光面にアレイ状のプリズム配列構造を有する別の光学シートが配設されていることを特徴とする請求項１から請求項４のいずれかに記載の光線制御ユニット。
【請求項６】
液晶表示パネルと、前記液晶表示パネルに光を供給する請求項１から請求項５のいずれかに記載の光線制御ユニットと、を具備することを特徴とする液晶表示装置。
【発明の詳細な説明】
【技術分野】
【０００１】
本発明は光線制御ユニットに関し、特に、ディスプレイに配設したときに、高輝度であり、干渉縞（モアレ）がなく面内輝度の均一性に優れたディスプレイを実現できる光線制御ユニットに関する。
【背景技術】
【０００２】
現在、液晶表示装置は、携帯電話、ＰＤＡ端末、デジタルカメラ、テレビ、パーソナルコンピュータ用ディスプレイ、ノートパソコンなどの幅広い分野で利用されている。液晶表示装置においては、例えば、液晶表示パネルの背後にバックライトユニットを配置し、このバックライトユニットからの光を液晶表示パネルに供給することにより、画像を表示する。このような液晶表示装置に用いられるバックライトユニットは、その表示画像を見やすくするために、液晶表示パネルに均一な光を供給するだけでなく、できるだけ多くの光を供給することが要求される。つまり、バックライトユニットは、光拡散性に優れると共に高い輝度が得られるという光学特性が要求される。
【０００３】
従来のバックライトユニット、例えば、図１１に示される直下型のバックライトユニットは、ＣＣＦＬ光源１１１と、光源１１１から出射した光を液晶表示パネル（図示せず）の方向（図１１において上方、以下「正面方向」ということがある）に反射する役割を果たす反射シート１１２と、光源（線光源）１１１からの光を拡散し、面光源とすると共に、光源１１１の形状を正面方向から視認させないようにする役割を果たす拡散板１１３と、拡散板１１３を通過した光をさらに拡散し、光源１１１の形状を正面方向から視認させないようにすると共に、光を正面方向に集光して輝度を向上させる役割を果たす拡散シート１１４と、拡散シート１１４を通過した光を正面方向に集光し、輝度を向上させる役割を果たすプリズムシート１１５とから構成されている。拡散シート１１４としては、表面（図１１において上方の主面）上にビーズを塗布してなる拡散シートを用いる。
【０００４】
ここで、輝度を向上するためにプリズムシートを重ねると、他のシートとの間における光の干渉に起因するモアレの発生、光を集めすぎることによる集光特性の緩和、液晶パネルとプリズムシートとの間のスティッキング等が生じてしまう。また、これらの問題を防止するために、プリズムシート上に、ヘーズ値が高く光拡散性の高い拡散シートと同等の性能を有する拡散シートを配設すると、正面に集光した光を再拡散させてしまい、正面輝度が低下するという問題があった。
【０００５】
この正面輝度を低下させる問題を解決する手段として、光拡散剤となるビーズ量を少なくしてヘーズ値を下げた拡散シートを使用することが提案されている（特許文献１）。
【特許文献１】特許第３５４９４９１号公報
【発明の開示】
【発明が解決しようとする課題】
【０００６】
しかしながら、光拡散剤の量を減らした拡散シートでもプリズムシートで集光された光の正面輝度の減少割合が多く、また光拡散剤の量を下げることによってプリズムシートでできた傷が見えやすくなるという問題もあった。
【０００７】
本発明はかかる点に鑑みてなされたものであり、プリズムシートで正面に集光した輝度を下げる量が少なく、高輝度であり輝度むらやモアレがない光線制御ユニットを提供することを目的とする。
【課題を解決するための手段】
【０００８】
本発明者らは上記目的を達成する方法を開発すべく鋭意研究を行った結果、微細な3次元構造を有する光学シートをプリズムシート上に配設することを見出し、本発明を完成させた。
【０００９】
すなわち、本発明の光線制御ユニットは、少なくとも一つの光源と、前記光源の上方に配設され、出光面にアレイ状のプリズム配列構造を有する光学シートと、前記光学シートの上方に配設され、不均一な非平面スペックルによって特徴づけられた微細な３次元構造を有する拡散シートと、を具備することを特徴とする。
【００１０】
本発明の光線制御ユニットにおいては、前記光学シートのプリズム配列構造の稜線延在方向と直交する方向における、前記拡散シートから出光される拡散光の拡散角度が、０．１°以上３０°以下であることが好ましい。
【００１１】
本発明の光線制御ユニットにおいては、前記光学シートのプリズム配列構造の稜線延在方向と平行な方向における、前記拡散シートから出光される拡散光の拡散角度が、０．１°以上１００°以下であることが好ましい。
【００１２】
本発明の光線制御ユニットにおいては、前記微細な３次元構造が、複数の凹凸構造で構成されており、前記凹凸形状の高さ及びピッチが不規則であることが好ましい。
【００１３】
本発明の光線制御ユニットにおいては、前記光源と前記拡散シートとの間に、出光面にアレイ状のプリズム配列構造を有する別の光学シートが配設されていることが好ましい。
に関するものである。
【００１４】
本発明の液晶表示装置は、液晶表示パネルと、前記液晶表示パネルに光を供給する上記光線制御ユニットと、を具備することを特徴とする。
【発明の効果】
【００１５】
本発明によれば、少なくとも一つの光源と、前記光源の上方に配設され、出光面にアレイ状のプリズム配列構造を有する光学シートと、前記光学シートの上方に配設され、不均一な非平面スペックルによって特徴づけられた微細な３次元構造を有する拡散シートと、を具備するので、プリズムシートで正面に集光した輝度を下げる量が少なく、高輝度であり輝度むらやモアレがない光線制御ユニットを提供することができる。
【発明を実施するための最良の形態】
【００１６】
以下、本発明の実施の形態について、添付図面を参照して詳細に説明する。
図１から図４は、本発明の実施の形態に係る光線制御ユニットの概略構成を示す図である。光線制御ユニット全体としては、複数の光源１１を用いている。光源１１としては、冷陰極管（ＣＣＦＬ）などの線光源や、ＬＥＤ（発光ダイオード）、レーザなどの点光源を用いることができる。また、光源１１の配置は画像の表示面に対して、直下に配列されていても良く（図１、図２）、画像の表示面に対するエッジに配列されていても良い（図３、図４）。また、エッジ型で配列されている場合は、エッジから照らされた光源１１を面発光させるための導光板１２が使用される。さらに、直下型の光源１１の下方又はエッジ型で導光板１２の下方には、光を反射させるための反射シート１３が使用される。
【００１７】
直下型において光源１１の上方又はエッジ型において導光板１２の上方には、所定の間隔をおいて、出光面にアレイ状のプリズム配列構造を有する光学シート１４が配設されている。
【００１８】
本発明で使用されるアレイ状のプリズム配列構造とは、アレイ状のプリズムが規則的に配列されたものである。一つのプリズムは、断面略三角形の形状である。また、略三角形の頂部（傾斜面１４ａが当接する部分１４ｂ）の稜線は、直線的に延在しても良く、曲線状態で延在しても良い。また、傾斜面の当接部分１４ｂは角が尖っていても良く、角が丸まっていても良い。略三角形の頂角の角度θは、光が再度から抜けないことや、光を正面方向に向ける能力を考慮すると、４５°以上１３５°以下であることが好ましい。
【００１９】
また、光学シート１４においては、プリズム配列構造を形成されれば特に制限されない。例えば、ポリエステルフィルム等の上にアクリル系樹脂等でプリズム配列構造が形成されているものでも良く、ポリカーボネート系フィルムに直接プリズム配列構造が形成されているものでも良い。具体的なフィルムの例としては、輝度上昇フィルムとしては、Vikuiti（登録商標）（住友スリーエム社製、商品名）のＢＥＦシリーズ、ＢＥＦIIシリーズ、ＢＥＦIIIシリーズ、ＲＢＥＦシリーズ、ウエーブフィルムシリーズ等や、これらのフィルムの同等品が挙げられる。
【００２０】
アレイ状のプリズム配列構造を有する光学シート１４の上方には、入光面及び／又は出光面に非平面スペックル構造を有する拡散シート１５が配設されている。
【００２１】
本発明に係る光線制御ユニットにおいて使用される拡散シート１５の非平面スペックル構造は、微細な３次元構造をもつ凹凸形状１５ａである。この微細な３次元構造は、複数の凹凸構造で構成されており、前記凹凸形状の高さ及びピッチが不規則であることが好ましい。この凹凸形状１５ａは、擬似ランダム形状である拡散構造体であり、具体的には、次のようにして形成することができる。まず、予め干渉露光によりスペックルパターンを形成したサブマスタ型を作製し、このサブマスタ型に電鋳などの方法で金属を被着してこの金属にスペックルパターンを転写してマスタ型を作製する。光透過性樹脂層に、上記マスタ型を用いて紫外線による腑形を行って光透過性樹脂層の光取り出し面にスペックルパターンを転写する。このサブマスタ型の詳細な製造方法については、特許第３４１３５１９号公報に開示されている。この内容はすべてここに含めておく。
【００２２】
スペックルパターンの寸法、形状及び方向を調節することにより、拡散角度の範囲を制御することができる。一般に、拡散角度の範囲は、スペックルの平均サイズ及び形状に依存する。スペックルが小さければ角度範囲が広い。また、スペックルが横方向の長円形であれば、角度分布の形は縦方向の長円形となる。このように所望する指向角度や拡散角度に応じてスペックルパターンを決定することができる。このスペックルパターンの詳細な製法については、特許第３３９０９５４号公報に開示されている。この内容はすべてここに含めておく。拡散角は凹凸構造のピッチ、高さ、アスペクト比を変えて制御しても構わないし、紫外線硬化される光透過性樹脂層の屈折率を変えて制御しても構わない。
【００２３】
ここで、本発明における「拡散角」とは、輝度がピーク輝度の半分に減衰する角（半値角）の２倍の角度（ＦＷＨＭ：Full Width Half Maximum）をいう。この拡散角度は例えば例えば日本電色工業株式会社の変角色差計などで法線角度が０°より入射した光の出光分布を測定することによって求めることができる。
【００２４】
図５は、本発明に係る光線制御ユニットに用いることができる、アレイ状のプリズム配列構造を有する光学シートを示す概略図であり、（ａ）は断面図であり、（ｂ）は正面図であり、（ｃ）は斜視図である。プリズム配列の稜線延在方向（長手方向）（図５（ｂ）における破線）とは、図５中のＹ軸方向を示す。本発明において使用される微細な３次元構造を有する光学シート１４おいては、光線制御ユニットの正面輝度を高くして、拡散の程度が十分であり、モアレの発生を抑えるために、アレイ状の稜線延在方向（図５でＹ軸方向）に平行な方向（稜線に沿う方向）における拡散角度が０．１°以上１００°以下であることが好ましい。光学シートを用いることがため好ましい。さらに好ましくは、稜線延在方向に平行な方向（稜線に沿う方向）における拡散角度が０．５°以上９０°以下である。
【００２５】
また、プリズム配列の稜線延在方向（長手方向）に直交する方向（図５でＸ軸方向）に対しては、拡散角度は、モアレの発生抑制、正面輝度の減少割合を考慮すると、０．１°以上３０°以下であることが好ましい。さらに好ましくは、拡散角度が０．５°以上２０°以下、特に好ましくは１°以上１０°以下である。
【００２６】
また、正面輝度などを考慮すると、光学シートのプリズム配列構造の稜線延在方向（長手方向）と直交する方向における、前記拡散シートから出光される拡散光の拡散角度が、光学シートのプリズム配列構造の稜線延在方向（長手方向）と平行な方向における、前記拡散シートから出光される拡散光の拡散角度以下であることが好ましい。
【００２７】
本発明の光線制御ユニットは、少なくとも、一つの光源と、前記光源の上方に配設され、出光面にアレイ状のプリズム配列構造を有する光学シートと、前記光学シートの上方に配設され、不均一な非平面スペックルによって特徴づけられた微細な３次元構造を有する拡散シートと、を具備することを特徴とする。したがって、上記構成を有していれば、さらに、少なくとも一つの光学シート、拡散シート、拡散板等を配設しても良い。例えば、光源１１と拡散シート１５との間に、出光面にアレイ状のプリズム配列構造を有する別の光学シートが配設されていても良い。
【００２８】
本発明に係る光線制御ユニットは、非平面スペックル構造を有する拡散シートを用いて他の配設構成、例えば図６〜図９に示す配設構成を採用することができる。図６〜図９は、いずれも本発明の実施の形態に係る光線制御ユニットの他の構成を示す図である。光源ユニットについては、図６で示す直下型ＣＣＦＬを用いた場合について説明しているが、光源ユニットとして、図２に示す直下型ＬＥＤ、図３に示すエッジ型ＣＣＦＬ、図４に示すエッジ型ＬＥＤを用いても良い。
【００２９】
図６は、図２に示す構成において、光源１１と、光学シート１４との間に、さらに、内部拡散剤を有する拡散板１６、及び球状ビーズ１７ａを表面に塗布してなる拡散シート１７を光源１１側からその順で配設してなる光線制御ユニットを示す。拡散板１６としては、例えばポリスチレン、シクロオレフィンポリマー、アクリル系樹脂等に、光を拡散させる効果がある有機ポリマーや無機粒子を添加したものを用いることができる。これらの拡散板１６は、光を拡散させ、下部光源の光を均一化させる効果がある。
【００３０】
また、拡散シート１７としてはアクリル系樹脂の球状ビーズ１７ａをポリエステル系樹脂シート上に塗布されたシートを用いることができる。このような拡散シート１７は、光を拡散させ均一化させる効果とともに、拡散板１６で拡散・均一化させた光を集光させる機能を有する。これらの光学シート１６，１７とともに、アレイ状のプリズム配列構造を有する光学シート１４と、非平面スペックル構造で特徴づけられた微細な凹凸構造を有する拡散シート１５とを配設することにより、正面輝度が高く、輝度むらが小さい光線制御ユニットを実現することができる。
【００３１】
図７は、図２に示す構成において、光源１１と、光学シート１４との間に、さらに、上記内部拡散剤を有する拡散板１６を配設してなる光線制御ユニットを示す。このような構成により、正面輝度が高く、輝度むらが小さい光線制御ユニットを実現することができる。また、このような構成においては、光学シート枚数を減らすことができ、薄型化を図ることができる。
【００３２】
図８は、図２に示す構成において、光源１１と、光学シート１４との間に、さらに出光面にアレイ状のプリズム配列構造を有する光学シート１８、及び内部拡散剤を有する拡散板１６を光源１１側からその順で配設してなる光線制御ユニットを示す。２枚のアレイ状のプリズムシートは、アレイ状の稜線延在方向（長手方向）が互いに直交するように配置される。これにより、視野角は減少するものの、正面輝度が高く、輝度むら小さい光線制御ユニットを実現することができる。
【００３３】
図９は、図２に示す構成において、光源１１と、光学シート１４との間に、さらに内部拡散剤を有する拡散板１６、及び非平面スペックルで特徴づけられた拡散シート１５を光源１１側からその順で配設してなる光線制御ユニットを示す。これにより、アクリル系球状ビーズを含有した拡散シート１７を配設した場合より、正面輝度が向上し、輝度むらを無くすことができる。
【００３４】
図９に示す構成において、拡散板１６とアレイ状のプリズム配列構造を有する光学シート１４との間に配設される非平面スペックルで特徴づけられた拡散シート１５は、アレイ状のプリズム配列構造を有する光学シート１４上に配設される拡散シート１５と同じでも良く、より拡散角度が高くなるように設計された拡散シートを用いても良い。より拡散角度が高い拡散シートを使用することにより、さらに輝度むらを小さくすることができる。
【００３５】
図１から図４及び図６から図９に示す構成においては、拡散シート１５の非平面スペックルで特徴づけられた微細な凹凸構造１５ａが出光面（図において上方の主面）に設けられている場合について説明しているが、図１０に示すように、この微細な凹凸構造１５ａは、拡散シート１５の入光面（図において下方の主面）に設けられていても良い。すなわち、光学シート１４のプリズム配列構造から出光された光を微細な凹凸構造から入光し、微細な凹凸構造でない面から出光させるように配設しても良い。また、微細な凹凸構造１５ａは、入光面、出光面の両方に形成しても良い。
【００３６】
また、図１から図４及び図６から図９に示すように、微細な凹凸構造を有する拡散シート１５をプリズム配列構造から出光された光を微細な凹凸構造でない面から入光し、凹凸構造である面から出光するように配設する際に、微細な凹凸構造でない面に、マット処理、サンドブラスト処理、薄いビーズ塗工処理等を行うことが好ましい。これらの処理によって、アレイ状のプリズム配列構造の傷つき防止効果を高めることができる。
【００３７】
上記光線制御ユニットは、液晶表示パネルと組み合わせて、液晶表示パネルに光を供給するように構成することにより、液晶表示装置に適用することができる。
【００３８】
次に、本発明の効果を明確にするために行った実施例について説明するが、本発明はこれらに限定されるものではない。
【００３９】
非平面スペックルで特徴づけられた微細な凹凸構造を有する拡散シートとして米国Luminit社から販売されているＬＳＤ（登録商標）を用いた。実施例に示される拡散角度は、微細な凹凸構造を有する面から入光させ、変角色差計で測定した角度を示している。例えばＬＳＤ６０°×１°は例えば、ある方向のFWHMが６０°であり、それとほぼ直交する方向の値が１°であることを表す。また、例えば、ＬＳＤ５°は、どの方向のFWHMも、５°であることを表す。
【００４０】
光学シートとして実施例で記載がないものについて、すなわち、拡散板、ビーズを塗布した拡散シート、アレイ状のプリズム配列構造を有する光学シートについては、ソニー社製のBRAVIA S-2500に使用されている拡散板（以下、ＤＰと略記）、拡散シート（以下、ＤＳと略記）、アレイ状のプリズム配列構造を有する光学シート（以下、プリズムシートと略記）を用いた。
【００４１】
また、光線制御ユニットの光源として、ＢＲＡＶＩＡ  Ｓ−２５００のＣＣＦＬ光源を用いた。輝度及び輝度むらは、コニカミノルタ製の２次元色彩輝度計（ＣＡ２０００）を使用し、光線制御ユニットから７５ｃｍ離して設置し、光線制御ユニットの中心部４０ｍｍ×２１０ｍｍ［６２ドット分（ｘ）×３２２ドット分（ｙ）］の範囲で測定した平均輝度値を輝度とした。輝度むらはｘ軸（４０ｍｍ）方向の平均輝度値を求め、ｙ軸方向について、各々の点の輝度値を各々点から±１７ドット分の輝度平均値で割り返した標準偏差値として輝度むらを求めた。
【００４２】
１．実施例１から実施例６及び比較例１から比較例４は、ＤＰ／ＤＳ／プリズムシート／拡散シートの構成について評価を行った。
【００４３】
（実施例１）
図６に示すように、光源からＤＰ、ＤＳ、プリズムシート、ＬＳＤ６０°×１°を配置して実施例１の光線制御ユニットを構成した。なお、プリズムシートの稜線延在方向（長手方向）は、ＣＣＦＬ光源に対して平行であり、ＬＳＤ６０°×１°をプリズムシートの稜線延在方向（長手方向）に対して平行な方向（図５でＹ軸方向）における拡散角度が６０°となるようにした。実施例１の光線制御ユニットにおける輝度、輝度むら値、モアレの有無を上記の方法で調べた。その結果を下記表１に示す。
【００４４】
（実施例２）
プリズムシート上にＬＳＤ６０°×４°（プリズムシートの稜線延在方向と平行な方向における拡散角度が６０°となるように配設）を配設すること以外は実施例１と同様にして実施例２の光線制御ユニットを構成した。実施例２の光線制御ユニットにおける輝度、輝度むら値、モアレの有無を上記の方法で調べた。その結果を下記表１に併記する。
【００４５】
（実施例３）
プリズムシート上にＬＳＤ１°を配設すること以外は実施例１と同様にして実施例３の光線制御ユニットを構成した。実施例３の光線制御ユニットにおける輝度、輝度むら値、モアレの有無を上記の方法で調べた。その結果を下記表１に併記する。
【００４６】
（実施例４）
プリズムシート上にＬＳＤ５°を配設すること以外は実施例１と同様にして実施例４の光線制御ユニットを構成した。実施例４の光線制御ユニットにおける輝度、輝度むら値、モアレの有無を上記の方法で調べた。その結果を下記表１に併記する。
【００４７】
（実施例５）
プリズムシート上にＬＳＤ１°を図１０に示すようにプリズムシートから出光された光を凹凸面から入光されるように配設すること以外は実施例１と同様にして実施例５の光線制御ユニットを構成した。実施例５の光線制御ユニットにおける輝度、輝度むら値、モアレの有無を上記の方法で調べた。その結果を下記表１に併記する。
【００４８】
（実施例６）
プリズムシート上にＬＳＤ５°を配設すること以外は実施例５と同様にして実施例６の光線制御ユニットを構成した。実施例６の光線制御ユニットにおける輝度、輝度むら値、モアレの有無を上記の方法で調べた。その結果を下記表１に併記する。
【００４９】
（比較例１）
図１１に示すように、光源からＤＰ、ＤＳ、プリズムシート（プリズムシートの稜線延在方向はＣＣＦＬ光源に対して平行）を配置して比較例１の光線制御ユニットを構成した。比較例１の光線制御ユニットにおける輝度、輝度むら値、モアレの有無を上記の方法で調べた。その結果を下記表１に併記する。
【００５０】
（比較例２）
プリズムシート上にＤＳを配設すること以外は比較例１と同様にして比較例２の光線制御ユニットを構成した。比較例２の光線制御ユニットにおける輝度、輝度むら値、モアレの有無を上記の方法で調べた。その結果を下記表１に併記する。
【００５１】
（比較例３）
プリズムシート上に拡散シートＢＳ０８２（恵和社製、商品名）を配設すること以外は比較例１と同様にして比較例３の光線制御ユニットを構成した。比較例３の光線制御ユニットにおける輝度、輝度むら値、モアレの有無を上記の方法で調べた。その結果を下記表１に併記する。
【００５２】
（比較例４）
プリズムシート上に拡散シートＢＳ９１２（恵和社製、商品名）を配設すること以外は比較例１と同様にして比較例４の光線制御ユニットを構成した。比較例４の光線制御ユニットにおける輝度、輝度むら値、モアレの有無を上記の方法で調べた。その結果を下記表１に併記する。
【表１】
2009157074.tif 000003
【００５３】
表１より、図６に示すＤＰ／ＤＳ／プリズムシート／非平面スペックル構造で特徴づけられた微細な凹凸構造を有する拡散シートの構成を持つ光線制御ユニットは、ＤＰ／ＤＳ／プリズムシート／球状ビーズを用いた拡散シートの構成を持つ光線制御ユニットより、輝度、輝度むらのバランスが良く、ＤＰ／ＤＳ／プリズムシートの配設に比べモアレが無いことが分かる。
【００５４】
２．実施例７から実施例９及び比較例５から比較例８は、ＤＰ／プリズムシート／拡散板の構成について評価を行った。
【００５５】
（実施例７）
図７に示すように、光源からＤＰ、プリズムシート、ＬＳＤ６０°×１°を配置して実施例７の光線制御ユニットを構成した。なお、プリズムシートの稜線延在方向（長手方向）は、ＣＣＦＬ光源に対して平行であり、ＬＳＤ６０°×１°をプリズムシートの稜線延在方向（長手方向）に対して平行な方向（図５でＹ軸方向）における拡散角度が６０°となるようにした。実施例７の光線制御ユニットにおける輝度、輝度むら値、モアレの有無を上記の方法で調べた。その結果を下記表２に示す。
【００５６】
（実施例８）
プリズムシート上にＬＳＤ６０°×４°（プリズムシートの稜線延在方向と平行な方向における拡散角度が６０°となるように配設）を配設すること以外は実施例７と同様にして実施例８の光線制御ユニットを構成した。実施例８の光線制御ユニットにおける輝度、輝度むら値、モアレの有無を上記の方法で調べた。その結果を下記表２に併記する。
【００５７】
（実施例９）
プリズムシート上にＬＳＤ７０°×１°（プリズムシートの稜線延在方向と平行な方向における拡散角度が７０°となるように配設）を配設すること以外は実施例７と同様にして実施例９の光線制御ユニットを構成した。実施例９の光線制御ユニットにおける輝度、輝度むら値、モアレの有無を上記の方法で調べた。その結果を下記表２に併記する。
【００５８】
（比較例５）
光源からＤＰ、プリズムシート（プリズムシートの稜線延在方向はＣＣＦＬ光源に対して平行）を配置して比較例５の光線制御ユニットを構成した。比較例５の光線制御ユニットにおける輝度、輝度むら値、モアレの有無を上記の方法で調べた。その結果を下記表２に併記する。
【００５９】
（比較例６）
プリズムシート上にＤＳを配設すること以外は比較例５と同様にして比較例６の光線制御ユニットを構成した。比較例６の光線制御ユニットにおける輝度、輝度むら値、モアレの有無を上記の方法で調べた。その結果を下記表２に併記する。
【００６０】
（比較例７）
プリズムシート上に拡散シートＢＳ０７２（恵和社製、商品名）を配設すること以外は比較例５と同様にして比較例７の光線制御ユニットを構成した。比較例７の光線制御ユニットにおける輝度、輝度むら値、モアレの有無を上記の方法で調べた。その結果を下記表２に併記する。
【００６１】
（比較例８）
プリズムシート上に拡散シートＢＳ０８２（恵和社製、商品名）を配設すること以外は比較例５と同様にして比較例８の光線制御ユニットを構成した。比較例８の光線制御ユニットにおける輝度、輝度むら値、モアレの有無を上記の方法で調べた。その結果を下記表２に併記する。
【表２】
2009157074.tif 000004
【００６２】
表２より、図７に示すＤＰ／プリズムシート／非平面スペックル構造で特徴づけられた微細な凹凸構造を有する拡散シートの構成を持つ光線制御ユニットは、ＤＰ／プリズムシート／球状ビーズを用いた拡散シートの構成を持つ光線制御ユニットより、輝度、輝度むらのバランスが良く、ＤＰ／プリズムシートの配設に比べモアレが無いことが分かる。
【００６３】
３．実施例１０から実施例１２及び比較例９、比較例１０は、ＤＰ／プリズムシート／プリズムシート／拡散板の構成について評価を行った。
【００６４】
（実施例１０）
図８に示すように、光源からＤＰ、プリズムシート、プリズムシート、ＬＳＤＴＭ１°×１°を配置して実施例１０の光線制御ユニットを構成した。なお、光源から近いプリズムシートの稜線延在方向（長手方向）は、ＣＣＦＬ光源に対して平行である。また、上（光源から遠い）のプリズムシートは、下（光源から近い）のプリズムシートの稜線が互いに直交するように配設した。実施例１０の光線制御ユニットにおける輝度、輝度むら値、モアレの有無を上記の方法で調べた。その結果を下記表３に示す。
【００６５】
（実施例１１）
プリズムシート上にＬＳＤ５°を配設すること以外は実施例１０と同様にして実施例１１の光線制御ユニットを構成した。実施例１１の光線制御ユニットにおける輝度、輝度むら値、モアレの有無を上記の方法で調べた。その結果を下記表３に併記する。
【００６６】
（実施例１２）
プリズムシート上にＬＳＤ５°を図１０に示すようにプリズムシートから出光された光を凹凸面から入光されるように配設すること以外は実施例１０と同様にして実施例１２の光線制御ユニットを構成した。実施例１２の光線制御ユニットにおける輝度、輝度むら値、モアレの有無を上記の方法で調べた。その結果を下記表３に併記する。
【００６７】
（比較例９）
光源からＤＰ、プリズムシート、プリズムシートを配置して比較例９の光線制御ユニットを構成した。なお、光源から近いプリズムシートの稜線延在方向（長手方向）は、ＣＣＦＬ光源に対して平行である。また、上（光源から遠い）のプリズムシートは、下（光源から近い）のプリズムシートの稜線が互いに直交するように配設した。比較例９の光線制御ユニットにおける輝度、輝度むら値、モアレの有無を上記の方法で調べた。その結果を下記表３に併記する。
【００６８】
（比較例１０）
プリズムシート上にＤＳを配設すること以外は比較例９と同様にして比較例１０の光線制御ユニットを構成した。比較例１０の光線制御ユニットにおける輝度、輝度むら値、モアレの有無を上記の方法で調べた。その結果を下記表３に併記する。
【表３】
2009157074.tif 000005
【００６９】
表３より、図８に示すＤＰ／プリズムシート／プリズムシート／非平面スペックル構造で特徴づけられた微細な凹凸構造を有する拡散シートの構成を持つ光線制御ユニットは、ＤＰ／プリズムシート／プリズムシート／球状ビーズを用いた拡散シートの構成を持つ光線制御ユニットより、輝度、輝度むらのバランスが良く、ＤＰ／プリズムシート／プリズムシートの配設に比べモアレが無いことが分かる。
【産業上の利用可能性】
【００７０】
本発明は、液晶テレビ、デジタルカメラ、携帯電話等の液晶表示部のバックライト等の照光装置に適用することができる。
【図面の簡単な説明】
【００７１】
【図１】本発明の実施の形態に係る光線制御ユニットの構成を示す図である。
【図２】本発明の実施の形態に係る光線制御ユニットの構成を示す図である。
【図３】本発明の実施の形態に係る光線制御ユニットの構成を示す図である。
【図４】本発明の実施の形態に係る光線制御ユニットの構成を示す図である。
【図５】本発明に係る光線制御ユニットに用いることができる、アレイ状のプリズム配列構造を有する光学シートを示す概略図であり、（ａ）は断面図であり、（ｂ）は正面図であり、（ｃ）は斜視図である。
【図６】本発明の実施の形態に係る光線制御ユニットの構成の他の例を示す図である。
【図７】本発明の実施の形態に係る光線制御ユニットの構成の他の例を示す図である。
【図８】本発明の実施の形態に係る光線制御ユニットの構成の他の例を示す図である。
【図９】本発明の実施の形態に係る光線制御ユニットの構成の他の例を示す図である。
【図１０】本発明の実施の形態に係る光線制御ユニットの構成の他の例を示す図である。
【図１１】従来のバックライトユニット構造を示す図である。
【符号の説明】
【００７２】
１１  光源
１２  導光板
１３  反射シート
１４，１８  光学シート
１４ａ  傾斜面
１４ｂ  頂部
１５，１７  拡散シート
１５ａ  微細な凹凸構造
１６  拡散板
１７ａ  球状ビーズ
【図１】
2009157074.tif 000006
【図２】
2009157074.tif 000007
【図３】
2009157074.tif 000008
【図４】
2009157074.tif 000009
【図５】
2009157074.tif 000010
【図６】
2009157074.tif 000011
【図７】
2009157074.tif 000012
【図８】
2009157074.tif 000013
【図９】
2009157074.tif 000014
【図１０】
2009157074.tif 000015
【図１１】
2009157074.tif 000016